(57)【要約】【課題】  経路に関連付けれらている静止画又は動画の共有に当たり、視聴者の煩わしさを軽減または解消できる画像共有システムを提供する。【解決手段】  画像共有システムは、経路検索部３１と、表示制御部２２１とを備える。  経路検索部３１は、経路指定受付部２２１を介して指定された第２経路に対して所定の長さにわたって重なりがある第１経路を保持部３２から検索する（図１２／ＳＴＥＰ３５４）。  表示制御部２２１は、第１経路の一部または全部を示す第１経路表示Ｐ３３２と、地図情報Ｐ３１と、第１経路に関連付けられた動画の再生指示を受け付けるためのインターフェースＰ３４１〜Ｐ３４３を画像表示部２２３１に表示させる（図９／ＳＴＥＰ２１０）。【選択図】図１１
2018174512.tif 000002
【特許請求の範囲】
【請求項１】
静止画又は動画と、当該静止画又は前記動画に関連付けられた経路である第１経路とを保持する保持部と、
任意の経路の指定を受け付ける経路指定受付部と、
画像を表示する画像表示部と、
前記経路指定受付部を介して指定された経路である第２経路に対して所定の長さにわたって重なりがある前記第１経路を前記保持部から検索する経路検索部と、
前記第１経路の一部または全部を示す第１経路表示と、地図情報と、前記第１経路に関連付けられた静止画若しくは動画を表示する画像表示または前記第１経路に関連付けられた動画の再生指示を受け付けるための表示である再生指示表示を前記画像表示部に表示させる表示制御部とを備えることを特徴とする画像共有システム。
【請求項２】
請求項１記載の画像共有システムにおいて、
前記保持部は、動画と、前記第１経路としての前記動画に関連付けられた経路とを保持し、
前記第１経路表示は、前記第１経路の一部の経路である局所経路を示す表示を含み、
前記画像表示が前記動画の一部の動画である局所動画を表示し、又は、前記再生指示表示が前記局所動画の再生指示を受け付けるための表示を含むことを特徴とする画像共有システム。
【請求項３】
請求項１又は２記載の画像共有システムにおいて、
前記動画は、前記第１経路の移動時に撮像された動画であり、
前記第１経路には、前記動画における移動の方向が付与されており、
前記経路指定受付部は、前記経路とともに方向の指定を受け付け、
前記経路検索部は、前記第２経路の指定された方向と同一の移動の方向が付与された前記第１経路を検索するように構成されていることを特徴とする画像共有システム。
【請求項４】
請求項１〜３のうちいずれか１項記載の画像共有システムにおいて、
動画の投稿を受け付ける投稿受付部を備え、
前記局所動画は、前記動画の投稿者により指定された動画の部分であることを特徴とする画像共有システム。
【請求項５】
端末と通信可能な通信部と、
静止画又は動画と、当該静止画又は前記動画に関連付けられた経路である第１経路とを保持する保持部と、
前記通信部を介して前記端末から経路を受信し、前記受信した経路に対して所定の長さにわたって重なりがある前記第１経路を前記保持部から検索し、検索された前記第１経路と、前記第１経路に関連付けられた静止画若しくは動画を前記通信部を介して前記端末に送信する経路検索部とを備えることを特徴とする画像共有サーバ。
【請求項６】
画像表示部と、静止画又は動画と当該静止画又は前記動画に関連付けられた経路である第１経路とを保持する保持部とを備える一のコンピュータが単独で又は複数のコンピュータが共同で実行する方法であって、
経路を認識するステップと、
前記認識された経路に対して所定の長さにわたって重なりがある前記第１経路を前記保持部から検索するステップと、
前記第１経路の一部または全部を示す第１経路表示と、地図情報と、前記第１経路に関連付けられた静止画若しくは動画を表示する画像表示または前記第１経路に関連付けられた動画の再生指示を受け付けるためのインターフェースである再生指示インターフェースを前記画像表示部に表示させるステップとを含むことを特徴とする画像共有方法。
【発明の詳細な説明】
【技術分野】
【０００１】
本発明は、画像共有システム、画像共有サーバ及び画像共有方法に関し、特に、一の地点から他の地点までの経路に関連付けれらている静止画又は動画を共有することができる画像共有システム、画像共有サーバ、及び画像共有方法に関する。
【背景技術】
【０００２】
従来、映像情報を撮像した位置（撮像位置）及び撮像した時刻とともに記憶部に記憶し、撮像位置の軌跡を地図上に表示し、ユーザが地図上の一点を指摘すると、その地点に最も近い撮像位置を持つ映像情報を記憶部から読み出し、読み出した映像情報を再生する再生装置が知られている（特許文献１参照）。
【０００３】
特許文献１の再生装置では、記憶部から複数の映像情報が検索された場合、地図上のユーザの指摘した地点近傍を拡大表示することにより、ユーザに再生する映像情報を選択する機会を与えている。
【先行技術文献】
【特許文献】
【０００４】
【特許文献１】特開２００９−１４７５４２号公報
【発明の概要】
【発明が解決しようとする課題】
【０００５】
しかし、特許文献１の技術では、多数の映像情報が検索された場合、ユーザが多数の映像情報のうちから再生する映像を選択しなければならず、ユーザに煩わしさを覚えさせてしまうおそれがあった。
【０００６】
そこで、本発明は、経路に関連付けれらている静止画又は動画の共有に当たり、視聴者の煩わしさを軽減または解消できる画像共有システム、画像共有サーバ、及び画像共有方法を提供することを目的とする。
【課題を解決するための手段】
【０００７】
本発明の画像共有システムは、
静止画又は動画と、当該静止画又は前記動画に関連付けられた経路である第１経路とを保持する保持部と、
任意の経路の指定を受け付ける経路指定受付部と、
画像を表示する画像表示部と、
前記経路指定受付部を介して指定された経路である第２経路に対して所定の長さにわたって重なりがある前記第１経路を前記保持部から検索する経路検索部と、
前記第１経路の一部または全部を示す第１経路表示と、地図情報と、前記第１経路に関連付けられた静止画若しくは動画を表示する画像表示または前記第１経路に関連付けられた動画の再生指示を受け付けるためのインターフェースである再生指示インターフェースを前記画像表示部に表示させる表示制御部とを備えることを特徴とする。
【０００８】
当該構成の画像共有システムによれば、経路検索部により、第２経路と所定の長さにわたって重なりがある第１経路を有する動画が保持部から検索される。
【０００９】
ここで、第１経路が第２経路と所定の長さにわたって重なりがある場合には、指定された１地点に対応する動画よりも検索される静止画又は動画の数が絞り込まれる。
【００１０】
また、表示制御部により、第１経路表示及び地図情報が画像表示部に表示される。これにより、視聴者に、静止画又は動画に関連した第１経路の地図上の位置を容易に把握させることができる。さらに、表示制御部により、前記第１経路に関連付けられた静止画若しくは動画を表示する画像表示または動画を再生させるためのインターフェースである再生指示インターフェースが画像表示部に表示される。視聴者は、容易に、静止画若しくは動画を視聴し、又は動画の再生指示を行うことができる。
【００１１】
以上の通り、本発明の画像共有システムによれば、検索される動画を絞り込みながら、動画に関連した第１経路の地図を視聴者に容易に把握させることができるとともに、視聴者に、容易に、静止画若しくは動画を視聴させ、又は、動画の再生指示を行わせることができる。従って、本発明の画像共有システムによれば、経路に関連付けれらている静止画又は動画の共有に当たり、視聴者の煩わしさを軽減または解消できる。
【００１２】
本発明の画像共有システムにおいて、
前記保持部は、動画と、前記第１経路としての前記動画に関連付けられた経路とを保持し、
前記第１経路表示は、前記第１経路の一部の経路である局所経路を示す表示を含み、
前記画像表示が前記動画の一部の動画である局所動画を表示し、又は、前記再生指示インターフェースが前記局所動画の再生指示を受け付けるためのインターフェースを含むことが好ましい。
【００１３】
当該構成の画像共有システムによれば、局所経路を示す表示と、局所動画を表示する画像表示又は前記局所動画の再生指示を受け付けるためのインターフェースとが画像表示部に表示される。これにより、視聴者に局所経路を認識させながら、局所動画を視聴させ又は局所動画を再生するための選択肢を与えることができる。
【００１４】
ここで、動画の再生に時間がかかると視聴者が煩わしさを覚えるおそれがあるところ、当該構成の画像共有システムによれば、局所動画は動画の一部であるから、再生時間を短縮することができ、視聴者の煩わしさを軽減または解消することができる。
【００１５】
本発明の画像共有システムにおいて、
前記動画は、前記第１経路の移動時に撮像された動画であり、
前記第１経路には、前記動画における移動の方向が付与されており、
前記経路指定受付部は、前記経路とともに方向の指定を受け付け、
前記経路検索部は、前記第２経路の指定された方向と同一の移動の方向が付与された前記第１経路を検索するように構成されていることが好ましい。
【００１６】
移動時に撮像された動画を見る場合、移動の方向が重要となるところ、当該構成の画像共有システムによれば、第２経路の指定された方向と同一の移動の方向が付与された第１経路が検索される。これにより、動画の視聴者が指定した方向と同一の移動の方向の経路が探索される。当該経路に関連付けられた動画における移動の方向は、動画の視聴者が指定した方向と同一となる。この結果、動画の視聴者が求める方向を加味した動画が共有される。
【００１７】
本発明の画像共有システムにおいて、
動画の投稿を受け付ける投稿受付部を備え、
前記局所動画は、前記動画の投稿者により指定された動画の部分であることが好ましい。
【００１８】
当該構成の画像共有システムによれば、前記動画の投稿者により指定された動画の部分に対応する経路の表示が出力されるとともに、局所動画又は局所動画を再生指示を受け付けるためのインターフェースが出力される。これにより、視聴者は、動画の投稿者が指定した動画の部分に対応する経路を認識しながら、動画の投稿者が指定した部分の動画（局所動画）を容易に視聴することができるようになる。
【００１９】
動画の投稿者が指定した部分の動画は、動画のうち特に共有したい部分であると推察されるので、動画の投稿者の意図に沿った形での動画の共有の円滑化が図られるとともに、再生時間を短縮することができるので、視聴者の煩わしさを軽減または解消することができる。
【図面の簡単な説明】
【００２０】
【図１】第１実施形態の全体構成図。
【図２】第１実施形態における移動体及び第１端末の構成を示す図。
【図３】第１実施形態における第２端末の構成を示す図。
【図４】第１実施形態における画像共有サーバの構成を示す図。
【図５】第１実施形態における動画投稿処理のフローチャート。
【図６】第１実施形態における投稿情報認識処理のフローチャート。
【図７】第１実施形態における投稿画面の一例を示す図。
【図８】第１実施形態における投稿情報の入力を受け付ける投稿画面の例を示す図。
【図９】第１実施形態における投稿済動画視聴処理のフローチャート。
【図１０】第１実施形態における検索画面を示す図。
【図１１】第１実施形態における検索結果画面を示す図。
【図１２】第１実施形態における経路検索処理のフローチャート。
【図１３】第２実施形態における局所動画認識処理のフローチャート。
【図１４】第２実施形態における撮像された道路の一例を示す図。
【図１５】第３実施形態における移動体及び第１端末の構成を示す図。
【図１６】第３実施形態における局所動画認識処理のフローチャート。
【図１７】第４実施形態における画像共有サーバの構成を示す図。
【図１８】第４実施形態における推薦一覧画面出力処理のフローチャート。
【図１９】第４実施形態における第１推薦一覧画面を示す図。
【図２０】第４実施形態における第２推薦一覧画面を示す図。
【発明を実施するための形態】
【００２１】
（第１実施形態）
図１〜図１２を参照して、本発明の第１実施形態について説明する。
【００２２】
第１実施形態において、画像共有システムは、移動体１に搭載された第１端末２１と、第２端末２２と、画像共有サーバ３とを備える。第１端末２１と、第２端末２２と、画像共有サーバ３とは互いに無線通信網等のネットワークを介して相互に通信可能に接続されている。
【００２３】
（移動体の構成）
移動体１は、不図示の各部の作動部とその操作部（アクチュエータ又は操作機構）と各部又はその操作部の状態を検知、検出する検出部を有する。
【００２４】
すなわち、移動体１には、移動体１の各状態を示す信号を出力するセンサ部１０と、当該センサ部に接続された第１端末２１とが搭載されている。
【００２５】
また、移動体１としての車は不図示の動力源を有し、その動力源の始動停止のためのスイッチ機構の一部であるイグニッションスイッチ又はスタートボタンを有している。
【００２６】
動力源には内燃機関や電動機が用いられる。また、燃料電池や太陽光発電による自然エネルギーを用いるものであっても良い。
【００２７】
また、移動体１としての車は不図示の加速装置、制動装置及び操向装置を有し、発進、加速、転舵、減速、停止を行う。
【００２８】
センサ部１０は、ＧＰＳ（Ｇｌｏｂａｌ  Ｐｏｓｉｔｉｏｎｉｎｇ  Ｓｙｓｔｅｍ）衛星から信号を受信することにより移動体１の現在位置を取得するＧＰＳセンサ１１と、移動体１、ここでは車の移動速度を取得する車速センサ１２と、移動体１の角速度を取得するジャイロセンサ１３と移動体１のイグニッションスイッチの入切の状態を取得するイグニッションスイッチセンサ１４とを備えている。センサ部１０は、不図示のセンサにより、移動体１に対するアクセル、ブレーキ又は操舵などの操作指示量及びその他の移動体１に搭載されている機器情報も取得するように構成されている。センサ部１０は、取得された情報を第１端末２１に出力するように構成されている。ＧＰＳセンサ１１が本発明の「位置認識部」に相当する。
【００２９】
（第１端末の構成）
第１端末２１は、移動局としての、タブレット型端末又はスマートフォン等、ユーザによる携帯が可能なようにサイズ、形状及び重量が設計されている情報端末である。第１端末２１は、移動体１の周囲（例えば移動体１の前方）又は内部を撮像可能となるように、移動体１に設置されている。例えば、移動体１が四輪自動車である場合、第１端末２１は、移動体１の前方を撮像可能となるように、移動体１のダッシュボードの上に設置されてもよい。
【００３０】
第１端末２１は、第１端末２１の第１ユーザＵ１（移動体の乗員）が搭乗する移動体１に搭載可能なようにサイズ、例えば規格化された１〜２ＤＩＮ等が設計されている情報端末により構成されてもよい。第１ユーザＵ１が、「動画の投稿者」の一例に相当する。
【００３１】
第１端末２１は、第１端末制御部２１１、第１端末記憶部２１２、第１端末出力部２１３、第１端末入力部２１４、第１端末通信部２１５及び第１端末計時部２１６を備えている。第１端末２１は、構成要素を装置の内部に備えるだけでなく、前述したＧＰＳセンサ１１のように、装置の外部に構成要素を備え、有線通信又は無線通信を介して必要なデータを認識するように構成されていてもよい。
【００３２】
なお、一の装置が情報を「認識する」とは、一の装置が他の装置から当該情報を受信すること、一の装置が第１端末記憶部２１２等の記憶媒体に記憶された情報を読み取ること、一の装置がＧＰＳセンサ１１等のセンサから出力された信号に基づいて情報を取得すること、一の装置が、受信した情報又は第１端末記憶部２１２等の記憶媒体に記憶された情報又はＧＰＳセンサ１１等のセンサから取得した情報に基づいて、所定の演算処理（計算処理又は検索処理など）を実行することにより当該情報を導出すること、一の装置が他の装置による演算処理結果としての当該情報を当該他の装置から受信すること、一の装置が当該受信信号にしたがって内部記憶装置又は外部記憶装置から当該情報を読み取ること等、当該情報を取得するためのあらゆる演算処理が実行されることを意味する。
【００３３】
第１端末制御部２１１は、ＣＰＵ等のプロセッサにより構成されている。第１端末２１には、画像共有プログラムがインストールされている。画像共有プログラムが起動されることにより、第１端末制御部２１１は、第１端末記憶部２１２からソフトウェアおよびデータを必要に応じて読み取ったうえで後述の演算処理を実行するように構成されている。第１端末制御部２１１の一部又は全部が、第１端末通信部２１５を介して通信可能な外部のサーバ等によって構成されていてもよい。第１端末制御部２１１が、本発明の「投稿受付部」の一例に相当する。
【００３４】
第１端末制御部２１１は、センサ部１０、第１端末記憶部２１２、第１端末出力部２１３、第１端末入力部２１４、第１端末通信部２１５及び第１端末計時部２１６と情報を送受信可能なように構成されている。
【００３５】
第１端末記憶部２１２は、ＲＡＭ、ＲＯＭ又はＨＤＤ等の記憶装置により構成され、種々の情報を記録するように構成されている。第１端末記憶部２１２は、第１端末制御部２１１による演算処理で使用されるデータを記憶及び読出可能に構成されている。第１端末記憶部２１２の一部又は全部が、第１端末通信部２１５を介して通信可能な外部のストレージサーバ等によって構成されていてもよい。
【００３６】
第１端末記憶部２１２は、地図情報２１２１と、動画情報２１２２とを記憶している。
【００３７】
地図情報２１２１は、道路及び各施設等の緯度及び経度等の位置情報及びＰＯＩ（Ｐｏｉｎｔ  Ｏｆ  Ｉｎｔｅｒｅｓｔ）を含む情報である。地図情報２１２１には、道路網を構成する複数の道路及び道路の区間のそれぞれの位置、形状および姿勢等を表わす座標値（（緯度、経度）または（緯度、経度、高度））の列のほか、各区間を識別するための道路識別情報および属性を表すデータなどが含まれている。各区間は一端または両端において他の道路の区間に接続されている。地図情報２１２１には、道路の特徴（急カーブ、急勾配、見通しが悪い、事故多発など）が含まれていてもよい。
【００３８】
なお、本明細書では、「道路」との用語は、地図に表示される道路又は実際に存在する各道路の意味で使用する。また、本明細書では、「道路の区間」との用語は、１の交差点から隣接する交差点までの道路等、一定の長さを持つ道路を意味する。各区間は、他の区間と重なりがないように定められる。
【００３９】
また、本明細書では、「経路」との用語は、ある地点から別の地点まで移動するための道路、すなわち、ユーザに通行を促す（案内する）道路、ユーザが通行している道路又はユーザが過去に通行した道路の意味で使用する。また、各経路は、地図情報に含まれる各道路の座標値のセットにより表現される。また、各経路は、地図情報に含まれる各区間の座標値のセットで表されてもよい。
【００４０】
動画情報２１２２は、第１端末入力部２１４の第１端末撮像部２１４１で撮像された動画、撮像された日付である撮像日、撮像された時刻である撮像時刻、撮像したときの位置である撮像位置を含む情報である。撮像日及び撮像時刻は第１端末計時部２１６から取得された日付及び時刻である。撮像位置は、ＧＰＳセンサ１１から取得された緯度及び経度の２次元で表される位置情報であってもよいし、さらに高さが加えられた３次元の情報であってもよい。
【００４１】
第１端末出力部２１３は、第１端末画像表示部２１３１と、第１端末音声出力部２１３２とを備える。
【００４２】
第１端末画像表示部２１３１は、例えば液晶パネルにより構成される。第１端末画像表示部２１３１は、第１端末制御部２１１から入力された信号に応じて画像を表示するように構成されている。
【００４３】
第１端末音声出力部２１３２は、例えばスピーカーにより構成される。第１端末音声出力部２１３２は、第１端末制御部２１１から入力された信号に応じて音声を出力するように構成されている。
【００４４】
第１端末出力部２１３は、これらに加え、におい発生装置、振動発生装置等、ユーザの五感を通じて認識させることができる情報を出力する装置を備えてもよい。
【００４５】
第１端末入力部２１４は、第１端末撮像部２１４１と、第１端末操作検知部２１４２と、第１端末音声認識部２１４３とを備える。
【００４６】
第１端末撮像部２１４１は、例えば第１端末２１の所定の位置に配置されたカメラにより構成される。第１端末撮像部２１４１は、動画を撮像し、撮像した動画に対応する信号を第１端末制御部２１１に出力するように構成されている。
【００４７】
第１端末操作検知部２１４２は、例えば、タッチパッド、ボタン、キーボード又はマウス等により構成される。第１端末操作検知部２１４２は、ユーザの操作を検知し、当該タッチ操作に対応する信号を第１端末制御部２１１に出力するように構成されている。第１端末操作検知部２１４２としてのタッチパッドと第１端末画像表示部２１３１としての液晶パネルとが組合わされ、タッチパネルとして構成されてもよい。
【００４８】
第１端末音声認識部２１４３は、例えばマイクにより構成される。第１端末音声認識部２１４３は、ユーザが発した音声を認識し、当該音声に対応する信号を第１端末制御部２１１に出力するように構成されている。
【００４９】
第１端末通信部２１５は、第１端末近距離無線通信部２１５１と、第１端末無線通信網通信部２１５２とを備える。
【００５０】
第１端末近距離無線通信部２１５１は、有線又は近距離での無線通信に適した通信規格にしたがって移動体１内の無線ＬＡＮ等を介して移動体１又は移動体１に搭載された機器（たとえばセンサ部１０）と相互に通信するように構成されている。
【００５１】
第１端末無線通信網通信部２１５２は、ＷｉＦｉ（登録商標）等の遠距離での無線通信に適した通信規格にしたがって画像共有サーバ３等の外部端末と相互通信するように構成されている。
【００５２】
第１端末計時部２１６は、例えばＮＴＰ（Ｎｅｔｗｏｒｋ  Ｔｉｍｅ  Ｐｒｏｔｏｃｏｌ）サーバと通信することにより、現在時刻を認識するように構成されている。第１端末計時部２１６は、ＧＰＳセンサ１１から受信した信号により現在時刻を認識してもよい。
【００５３】
（第２端末の構成）
第２端末２２は、移動局としての、タブレット型端末又はスマートフォン等、ユーザによる携帯が可能なようにサイズ、形状及び重量が設計されている情報端末である。
【００５４】
第２端末２２は、第２端末２２の第２ユーザＵ２（移動体の乗員）が搭乗する移動体１に搭載可能なようにサイズ、例えば規格化された１〜２ＤＩＮ等が設計されている情報端末により構成されてもよい。また、第２端末２２は、固定局として、例えばデスクトップコンピュータにより構成されていてもよい。
【００５５】
第２ユーザＵ２が、「動画の視聴者」の一例に相当する。
【００５６】
第２端末２２は、第２端末制御部２２１、第２端末記憶部２２２、第２端末出力部２２３、第２端末入力部２２４、第２端末通信部２２５及び第２端末計時部２２６を備えている。第２端末２２は、構成要素を装置の内部に備えるだけでなく、装置の外部に構成要素を備え、有線通信又は無線通信を介して必要なデータを認識するように構成されていてもよい。
【００５７】
第２端末制御部２２１は、ＣＰＵ等のプロセッサにより構成されている。第２端末２２には、画像共有プログラムがインストールされている。画像共有プログラムが起動されることにより、第２端末制御部２２１は、第２端末記憶部２２２からデータを読み取ったうえで後述の演算処理を実行するように構成されている。第２端末制御部２２１の一部又は全部が、第２端末通信部２２５を介して通信可能な外部のサーバ等によって構成されていてもよい。
【００５８】
第２端末制御部２２１が、本発明の「経路指定受付部」「表示制御部」の一例に相当する。
【００５９】
第２端末制御部２２１は、第２端末記憶部２２２、第２端末出力部２２３、第２端末入力部２２４、第２端末通信部２２５及び第２端末計時部２２６と情報を送受信可能なように構成されている。
【００６０】
第２端末記憶部２２２は、ＲＡＭ、ＲＯＭ又はＨＤＤ等の記憶装置により構成され、種々の情報を記録するように構成されている。第２端末記憶部２２２は、第２端末制御部２２１による演算処理で使用されるデータを記憶及び読出可能に構成されている。第２端末記憶部２２２の一部又は全部が、第２端末通信部２２５を介して通信可能な外部のストレージサーバ等によって構成されていてもよい。
【００６１】
第２端末記憶部２２２は、地図情報２２２１及び参考動画情報２２２２を記憶している。
【００６２】
地図情報２２２１は、道路及び各施設等の緯度及び経度等の位置情報及びＰＯＩ（Ｐｏｉｎｔ  Ｏｆ  Ｉｎｔｅｒｅｓｔ）を含む情報である。地図情報２２２１には、道路網を構成する複数の道路及び道路の区間のそれぞれの位置、形状および姿勢等を表わす座標値（（緯度、経度）または（緯度、経度、高度））の列のほか、各区間を識別するための道路識別情報および属性を表すデータなどが含まれている。各区間は一端または両端において他の道路の区間に接続されている。地図情報２２２１には、道路の特徴（急カーブ、急勾配、見通しが悪い、事故多発など）が含まれていてもよい。
【００６３】
参考動画情報２２２２は、第２ユーザが登録した動画の情報であり、主に、経路の案内の際に併せて再生される動画に関する情報である。
【００６４】
第２端末出力部２２３は、第２端末画像表示部２２３１と、第２端末音声出力部２２３２とを備える。
【００６５】
第２端末画像表示部２２３１は、例えば液晶パネルにより構成される。第２端末画像表示部２２３１は、第２端末制御部２２１から入力された信号に応じて画像を表示するように構成されている。第２端末画像表示部２２３１が、本発明の「画像表示部」の一例に相当する。
【００６６】
第２端末音声出力部２２３２は、例えばスピーカーにより構成される。第２端末音声出力部２２３２は、第２端末制御部２２１から入力された信号に応じて音声を出力するように構成されている。
【００６７】
第２端末出力部２２３は、これらに加え、におい発生装置、振動発生装置等、ユーザの五感を通じて認識させることができる情報を出力する装置を備えてもよい。
【００６８】
第２端末入力部２２４は、第２端末撮像部２２４１と、第２端末操作検知部２２４２と、第２端末音声認識部２２４３とを備える。
【００６９】
第２端末撮像部２２４１は、例えば第２端末２２の所定の位置に配置されたカメラにより構成される。第２端末撮像部２２４１は、動画を撮像し、撮像した動画に対応する信号第２端末制御部２２１に出力するように構成されている。
【００７０】
第２端末操作検知部２２４２は、例えば、タッチパッド、ボタン、キーボード又はマウス等により構成される。第２端末操作検知部２２４２は、ユーザの操作を検知し、当該タッチ操作に対応する信号を第２端末制御部２２１に出力するように構成されている。第２端末操作検知部２２４２としてのタッチパッドと第２端末画像表示部２２３１としての液晶パネルとが組合わされ、タッチパネルとして構成されてもよい。
【００７１】
第２端末音声認識部２２４３は、例えばマイクにより構成される。第２端末音声認識部２２４３は、ユーザが発した音声を認識し、当該音声に対応する信号を第２端末制御部２２１に出力するように構成されている。
【００７２】
第２端末通信部２２５は、第２端末近距離無線通信部２２５１と、第２端末無線通信網通信部２２５２とを備える。
【００７３】
第２端末近距離無線通信部２２５１は、有線又は近距離での無線通信に適した通信規格にしたがって移動体１内の無線ＬＡＮ等を介して移動体１又は移動体１に搭載された機器（たとえばセンサ部１０）と相互に通信するように構成されている。
【００７４】
第２端末無線通信網通信部２２５２は、ＷｉＦｉ（登録商標）等の遠距離での無線通信に適した通信規格にしたがって画像共有サーバ３等の外部端末と相互通信するように構成されている。
【００７５】
第２端末計時部２２６は、例えばＮＴＰ（Ｎｅｔｗｏｒｋ  Ｔｉｍｅ  Ｐｒｏｔｏｃｏｌ）サーバと通信することにより、現在時刻を認識するように構成されている。第２端末計時部２２６は、ＧＰＳセンサ１１から受信した信号により現在時刻を認識してもよい。
【００７６】
（画像共有サーバの構成）
画像共有サーバ３は、固定局としてのコンピュータにより構成され、サーバ制御部３１と、サーバ保持部３２と、サーバ通信部３５とを備えている。なお、画像共有サーバ３が、移動局としてのスマートフォンまたはタブレットなどの携帯型の端末装置により構成されていてもよい。
【００７７】
画像共有サーバ３には、画像共有プログラムがインストールされている。
【００７８】
サーバ制御部３１は、サーバ保持部３２からデータを必要に応じて読み取った上で、当該データを対象として画像共有プログラムにしたがった演算処理を実行する演算処理装置（ＣＰＵ）により構成されている。当該演算処理の詳細については後述する。サーバ制御部３１が、本発明の「経路検索部」の一例に相当する。
【００７９】
サーバ保持部３２は、ＲＡＭ、ＲＯＭ又はＨＤＤ等の記憶装置により構成され、サーバ制御部３１のそれぞれによる受信情報および計算結果などの演算処理結果を記憶保持するように構成されている。サーバ保持部３２は、動画情報３２１及び地図情報３２２を保持している。サーバ保持部３２は、本発明の「保持部」に相当する。
【００８０】
動画情報３２１は、移動体に搭載されたカメラ等によって撮像された動画に関する情報である。サーバ保持部３２には、複数の動画のそれぞれごとに動画情報３２１が保持されている。
【００８１】
各動画は、本実施形態では、ある経路を実際に走行する移動体に搭載されたカメラに撮像された動画である。これに代えてまたは加えて、各動画は、ある経路の走行をシミュレーションした動画であってもよいし、映画又はアニメーション等、仮想的なキャラクターがある経路を走行する動画であってもよい。各動画は、実際上のある経路に対応する動画であることが好ましい。
【００８２】
各動画は、本実施形態では、第１端末２１の第１ユーザＵ１を含む複数のユーザによって投稿された動画である。これに代えてまたは加えて、動画は、画像共有サーバ３の所有者又は管理者によって用意された動画であってもよい。
【００８３】
動画情報３２１には、動画画像３２１１、撮像位置ログ３２１２、局所動画情報３２１３、局所経路情報３２１４、タグ情報３２１５、題名情報３２１６、撮像季節情報３２１７、撮像時間帯情報３２１８、コメント３２１９及び信頼性評価値３２２０が夫々の動画ごとに互いに関連付けられている。例えば、一の動画について、当該一の動画の動画データ、当該一の動画の撮像位置ログ、当該一の動画の局所動画情報、当該一の動画の局所経路情報、当該一の動画のタグ情報、当該一の動画の題名情報、当該一の動画の撮像季節情報、当該一の動画の撮像時間帯情報及び当該一の動画の信頼性評価値が互いに関連付けられている。動画情報３２１には、動画に伴う音声が含まれていてもよい。
【００８４】
動画画像３２１１は、一の動画（以下、「対象動画」という。）を構成する複数の静止画の画像を含む。動画情報３２１には、動画画像３２１１に代えて、対象動画を再生するためのリンク情報（ＵＲＬ（Ｕｎｉｆｏｒｍ  Ｒｅｓｏｕｒｃｅ  Ｌｏｃａｔｏｒ））が含まれていてもよい。
【００８５】
撮像位置ログ３２１２は、対象動画が撮像された移動体の時系列的な位置（座標値）のログである。撮像位置ログ３２１２に加えてまたは代えて、地図情報３２２に含まれる各リンク及び各ノードの組合せが記憶されていてもよい。対象動画が撮像された移動体の時系列的な位置を、以下においては、「対象経路」という。対象経路には、移動体が移動する方向である移動方向に関する情報が含まれている。
【００８６】
局所動画情報３２１３は、対象動画の投稿者により指定された対象動画の一部の動画（以下、「対象局所動画」という。）を再生するための情報が含まれている。対象局所動画を再生するための情報の例は、３分以降、２分５秒〜２分５５秒のように、動画における対象局所動画の開始時点及び終了時点の一方又は両方を指定するような情報である。
【００８７】
局所経路情報３２１４は、対象局所動画に対応する経路（以下、「対象局所経路」という。）を示す情報である。局所経路情報３２１４の例は、対象経路における、対象局所経路の開始位置及び終了位置の一方又は両方を含む情報である。
【００８８】
タグ情報３２１５は、対象局所動画を表すために付された一又は複数の文字列の組である。例えば、「紅葉」「緩やかなカーブ」「雨」などの文字列がタグ情報３２１５として対象局所動画に付されていてもよい。タグ情報３２１５は、後述するように対象動画の投稿者によって付されてもよいし、対象動画の視聴者によって付されてもよい。
【００８９】
題名情報３２１６は、対象局所動画の題名を表す一の文字列である。例えば、「雨の中、紅葉に囲まれた緩やかなカーブをドライブ」などの文字列が題名情報３２１６として対象局所動画に付されていてもよい。題名情報３２１６は、後述するように対象動画の投稿者によって付されてもよいし、対象動画の視聴者によって付されてもよい。
【００９０】
撮像季節情報３２１７は、対象動画の撮像日から認識される対象動画を撮像した季節に関する情報であり、例えば、「春」「初夏」「晩秋」「真冬」である。
【００９１】
撮像時間帯情報３２１８は、対象動画の撮像時刻から認識される対象動画を撮像した時間帯に関する情報であり、例えば、「７：００〜８：００」、「早朝」「昼」「夜間」である。
【００９２】
コメント３２１９は、ユーザによって入力された対象動画又は対象局所動画に対するコメントである。
【００９３】
信頼性評価値３２２０は、対象動画及び対象局所動画が対象経路及び対象局所経路と対応しているかどうかについての信頼性の評価値である。信頼性の評価値の算出方法については後述する。
【００９４】
地図情報３２２には、道路及び各施設等の緯度及び経度等の位置情報及びＰＯＩ（Ｐｏｉｎｔ  Ｏｆ  Ｉｎｔｅｒｅｓｔ）を含む情報である。地図情報３２２には、道路網を構成する複数の道路及び道路の区間のそれぞれの位置、形状および姿勢等を表わす座標値（（緯度、経度）または（緯度、経度、高度））の列のほか、各区間を識別するための道路識別情報および属性を表すデータなどが含まれている。各区間は一端または両端において他の道路の区間に接続されている。地図情報３２２には、道路の特徴（急カーブ、急勾配、見通しが悪い、事故多発など）が含まれていてもよい。
【００９５】
別の態様として、動画情報３２１の一部または全部、地図情報３２２の一部または全部のいずれか、または各々とも独立したサーバで管理され、ユーザに提供するよう運営されていても良い。この場合、サーバ保持部３２には各々の動画、地図にアクセスするための各サーバのＵＲＬ等のリンク情報が保持されうる。そして画像共有サーバ３は必要に応じて動画又は地図を取得して閲覧を希望するユーザの端末に提供する。これにより、画像共有サーバ３の処理負荷や管理負荷を軽減することが可能である。 
【００９６】
このように、画像共有サーバ３とは別個のサーバに保存された動画または静止画、経路情報等の情報のアクセスするためのリンク情報を保持することも、本発明の「保持」に相当する。
【００９７】
（動画投稿処理）
図５を参照して、第１端末２１と画像共有サーバ３とにより実行される動画投稿処理の概要を説明する。本処理は、例えば、第１端末２１の第１ユーザＵ１が、移動体１に運転し、動画を撮像し、移動体１を停止させてから撮像した動画を投稿する場面において実行されうる。
【００９８】
第１端末２１の第１端末制御部２１１は、第１端末撮像部２１４１で撮像された移動体１で移動している間の動画（以下、本処理及び投稿情報認識処理において「投稿動画」という。）を動画情報２１２２に記憶する（図５／ＳＴＥＰ００２）。第１端末制御部２１１は、投稿動画の撮像の間における、第１端末計時部２１６で計測された少なくとも撮像を開始した時点及び撮像を開始した時点における日付及び時刻、並びにＧＰＳセンサ１１で取得された撮像を開始した時点から撮像を開始した時点までの時系列的な位置を、動画情報２１２２に記憶する。
【００９９】
投稿動画の撮像が開始した時点の例は、第１端末撮像部２１４１の撮像機能が開始された時点のほか、第１端末制御部２１１が、ＧＰＳセンサ１１、車速センサ１２、ジャイロセンサ１３等からの出力に基づいて移動体１が移動を開始したと判定した時点、イグニッションスイッチセンサ１４からの出力に基づいて、移動体１の動力源が始動したと判定した時点、不図示のドアスイッチセンサの出力に基づいて、ドアが開けられた又は閉められたと判定した時点が挙げられる。
【０１００】
投稿動画の撮像が終了した時点の例は、第１端末撮像部２１４１の撮像機能が停止された時点のほか、第１端末制御部２１１が、ＧＰＳセンサ１１、車速センサ１２、ジャイロセンサ１３等からの出力に基づいて移動体１が所定時間以上停止したと判定した時点、イグニッションスイッチセンサ１４からの出力に基づいて、移動体１の動力源が停止したと判定した時点、不図示のドアスイッチセンサの出力に基づいて、ドアが開けられた又は閉められたと判定した時点が挙げられる。
【０１０１】
第１端末制御部２１１は、投稿情報認識処理を実行する（図５／ＳＴＥＰ００４）。第１端末制御部２１１は、投稿情報認識処理により、画像共有サーバ３に送信するための情報（以下、「投稿情報」という。）を認識する。
【０１０２】
投稿情報には、第１端末２１の第１ユーザＵ１を識別するためのユーザＩＤ、投稿動画を構成する画像、撮像位置の時系列的遷移を示すファイル、投稿動画の一部である投稿局所動画を示す情報、投稿局所動画に対応する経路を示す投稿局所経路の情報、投稿局所動画に付されたタグ情報及び題名情報、撮像日、撮像時刻、投稿動画又は投稿局所動画に対するコメントが含まれている。第１端末制御部２１１は、投稿動画を画像共有サーバとは異なる画像共有サーバにアップロードする場合、投稿動画を構成する画像に代えて、当該投稿動画を再生するためのＵＲＬを投稿情報に含ませてもよい。
【０１０３】
なお、第１実施形態の「投稿局所動画」が、本発明の「動画の投稿者により指定された動画の部分」の一例に相当する。
【０１０４】
第１端末制御部２１１は、例えば、投稿動画の撮像が終了した時点において、図５／ＳＴＥＰ００４の処理を実行するように構成されていてもよい。
【０１０５】
第１端末制御部２１１は、投稿情報を画像共有サーバ３に送信する（図５／ＳＴＥＰ００６）。
【０１０６】
画像共有サーバ３のサーバ制御部３１は、投稿情報を受信したか否か判定する（図５／ＳＴＥＰ０５２）。
【０１０７】
サーバ制御部３１は、投稿情報を受信すると（図５／ＳＴＥＰ０５２‥ＹＥＳ）、投稿情報に含まれる撮像日及び撮像時刻から、日付と季節の対応関係を示すテーブル及び時刻と時間帯との対応関係を示すテーブルを参照して、撮像された季節及び時間帯を認識する（図５／ＳＴＥＰ０５４）。
【０１０８】
サーバ制御部３１は、投稿情報の信頼性の評価値を算出する（図５／ＳＴＥＰ０５６）。サーバ制御部３１は、投稿動画とともに投稿経路が指定されていた場合には、信頼性を高く評価する。また、サーバ制御部３１は、第１端末２１の第１ユーザＵ１の投稿した過去の投稿動画の信頼性の平均値を、信頼性の評価値としてもよい。
【０１０９】
サーバ制御部３１は、投稿情報に含まれる各情報、撮像された季節、時間帯及び信頼性の評価値をサーバ保持部３２に保持させる（図５／ＳＴＥＰ０５８）。
【０１１０】
上述した動画投稿処理により、画像共有サーバ３へ投稿動画及びその関連情報が記憶される。
【０１１１】
（投稿情報認識処理）
図６〜図８を参照して、第１端末２１により実行される投稿情報認識処理を説明する。
【０１１２】
本処理は、投稿動画の撮像が終了した時点で実行が開始される処理であり、第１端末２１の第１ユーザＵ１が特段の操作をしなくとも、第１端末制御部２１１は、投稿動画を認識している。
【０１１３】
第１端末２１の第１端末制御部２１１は、図７に示される投稿画面Ｐ１を第１端末画像表示部２１３１に出力する（図６／ＳＴＥＰ１０２）。
【０１１４】
投稿画面Ｐ１には、投稿画面地図Ｐ１１と、ルート追加ボタンＰ１１１と、スポット追加ボタンＰ１１２とを含んでいる。
【０１１５】
投稿画面地図Ｐ１１は、地図情報２１２１から作成された地図である。これに加えてまたは代えて、投稿画面地図Ｐ１１は、第１端末制御部２１１が第１端末通信部２１５を介して外部の地図サーバ等からダウンロードした地図であってもよい。
【０１１６】
第１端末制御部２１１は、第１端末操作検知部２１４２を介してルート追加ボタンＰ１１１の押圧操作を検知することにより、後述する図６／ＳＴＥＰ１０６〜ＳＴＥＰ１１２までの処理を実行する。
【０１１７】
また、図示はしないが、第１端末制御部２１１は、第１端末操作検知部２１４２を介してスポット追加ボタンＰ１１２の押圧操作を検知することにより、第１ユーザＵ１による地図上の地点の指定と、コメントの追加を受け付ける。これらの地点、コメントは、投稿情報に含められ、画像共有サーバ３に送信される。
【０１１８】
第１端末制御部２１１は、第１端末操作検知部２１４２を介してルート追加ボタンＰ１１１の押圧操作を検知すると（図６／ＳＴＥＰ１０４‥ＹＥＳ）、投稿動画の撮像を開始した地点である撮像開始地点及び投稿動画の撮像を終了した地点である撮像終了地点を入力させる画面を表示する（図６／ＳＴＥＰ１０６）。
【０１１９】
第１端末制御部２１１は、第１端末操作検知部２１４２を介して撮像開始地点及び撮像終了地点の入力を認識すると（図６／ＳＴＥＰ１０８‥ＹＥＳ）、地図情報２１２１を参照して、それらの２地点を結ぶ経路を検索することにより、投稿動画に関連した経路である投稿経路を認識する（図６／ＳＴＥＰ１１０）。第１端末制御部２１１は、複数の経路が検索された場合には、ユーザに対し、経路を選択する入力を求めてもよい。第１端末制御部２１１は、図６／ＳＴＥＰ１０６〜図６／ＳＴＥＰ１０８の処理を省略し、当該撮像位置に基づいて投稿経路を認識してもよい。また、「投稿経路」が、本発明の「第１経路」の一例に相当する。
【０１２０】
第１端末制御部２１１は、図８に示されるように、投稿経路表示Ｐ１２１及び各種情報の入力を受け付けるための入力ボックスＰ１２２〜Ｐ１２５を追加した投稿画面Ｐ１を第１端末画像表示部２１３１に出力する（図６／ＳＴＥＰ１１２）。投稿経路表示Ｐ１２１は、投稿経路を示す表示である。入力ボックスには、題名を入力するための題名入力ボックスＰ１２２、撮像日及び撮像時刻を入力するための撮像日時入力ボックスＰ１２３、タグ情報を入力するためのタグ情報入力ボックスＰ１２４及び撮像位置ログのファイルを指定するためのログファイル入力ボックスＰ１２５が含まれている。第１端末制御部２１１は、動画情報２１２２に含まれている撮像日及び撮像時刻に基づいて、撮像日時入力ボックスＰ１２３を入力した状態で表示してもよい。
【０１２１】
第１端末制御部２１１は、第１端末操作検知部２１４２を介して投稿経路表示Ｐ１２１のうち２か所に対する押圧操作を検知すると（図６／ＳＴＥＰ１１４‥ＹＥＳ）、当該２か所の間の経路を投稿経路の一部である投稿局所経路として認識する（図６／ＳＴＥＰ１１６）。
【０１２２】
第１端末制御部２１１は、各撮像時点における撮像位置から、投稿局所経路に対応する投稿動画の部分である投稿局所動画を認識する（図６／ＳＴＥＰ１１８）。
【０１２３】
第１端末制御部２１１は、投稿局所経路を示す投稿局所経路表示Ｐ１２６と、コメントを入力するためのコメント入力ボックスＰ１２７を追加した投稿画面Ｐ１を第１端末画像表示部２１３１に出力する（図６／ＳＴＥＰ１２０）。
【０１２４】
第１端末制御部２１１は、各入力ボックスＰ１２２〜Ｐ１２５、Ｐ１２７に入力された情報を認識する（図６／ＳＴＥＰ１２２）。
【０１２５】
なお、第１端末制御部２１１は、投稿動画の画像を投稿情報に含めない場合、他の動画サーバ等にアップロードされた動画のＵＲＬを指定するためのＵＲＬ入力ボックスＰ１２８を第１端末画像表示部２１３１に出力してもよい。
【０１２６】
上述した投稿情報認識処理により、画像共有サーバ３へ送信される投稿情報が認識される。
【０１２７】
（投稿済動画視聴処理）
次に、図９〜図１１を参照して、第２端末２２及び画像共有サーバ３により実行される投稿済動画視聴処理を説明する。
【０１２８】
投稿済動画視聴処理は、例えば、第２端末２２の第２ユーザＵ２が、旅行等に出発する場合において出発地及び目的地を決定した後に、動画を閲覧しながら、どのような経路を通行するかを検討したいと希望する場合、通行しようとしている経路を事前に確認したい場合などに有用な処理である。
【０１２９】
第２端末２２の第２端末制御部２２１は、図１０に示される検索画面Ｐ２を第２端末画像表示部２２３１に出力する（図９／ＳＴＥＰ２０２）。検索画面Ｐ２には、地図Ｐ２１、走行の予定している日を入力するための走行予定日入力ボックスＰ２２、走行を予定しているおおよその時間帯を入力するための走行時間帯入力ボックスＰ２３、及び検索のためのタグ情報を入力するための検索タグ情報入力ボックスＰ２４が含まれている。
【０１３０】
第２端末２２の第２端末制御部２２１は、第２端末操作検知部２２４２を介して第１検索情報の入力が検知されたか否かを判定する（図９／ＳＴＥＰ２０４）。
【０１３１】
第１検索情報には、検索の基礎となる経路である検索経路と、各入力ボックスＰ２２〜Ｐ２４へ入力された情報とが含まれる。検索経路は、地図Ｐ２１上の２つの地点を指定されることにより、当該２つの地点間を結ぶ経路として認識されうる。当該２つの地点間を結ぶ複数の経路がある場合には、第２端末制御部２２１は、第２ユーザＵ２に１または複数の経路を選択させてもよいし、全ての経路を検索経路としてもよい。また、第２端末制御部２２１は、図１０に示されるように、認識した検索経路を示す表示Ｐ２５を検索画面Ｐ２に追加して第２端末画像表示部２２３１に出力してもよい。第２端末制御部２２１は、最初に指定された地点を出発地とし、次に指定された地点を目的地とすることにより、検索経路における移動方向を第１検索情報に含めてもよい。第２端末制御部２２１は、別途指定された方向により、検索経路における移動方向を第１検索情報に含めてもよい。
【０１３２】
検索経路が本発明の「第２経路」の一例に相当する。
【０１３３】
図９／ＳＴＥＰ２０４の判定結果が肯定的である場合（図９／ＳＴＥＰ２０４‥ＹＥＳ）、第２端末制御部２２１は、第２端末通信部２２５を介して第１検索情報を画像共有サーバ３に送信する（図９／ＳＴＥＰ２０６）。
【０１３４】
画像共有サーバ３のサーバ制御部３１は、第１検索情報を受信すると（図９／ＳＴＥＰ２５２‥ＹＥＳ）、経路探索処理を実行する（図９／ＳＴＥＰ２５４）。経路探索処理の詳細は後述するが、画像共有サーバ３は、サーバ保持部３２の動画情報３２１を参照して、すでに投稿された動画である投稿済動画、投稿済動画に関連付けられた経路である投稿済動画経路、投稿済動画の一部である投稿済局所動画、投稿済局所動画に対応する経路である投稿済局所経路及び投稿済局所動画に対するコメントを検索結果として認識する。検索結果には、投稿済動画の信頼性の評価値が含まれていてもよい。
【０１３５】
サーバ制御部３１は、検索結果を第２端末２２に送信する（図９／ＳＴＥＰ２５６）。
【０１３６】
第２端末２２の第２端末制御部２２１は、検索結果を受信すると（図９／ＳＴＥＰ２０８・・ＹＥＳ）、図１１に示すように、検索結果画面Ｐ３を第２端末画像表示部２２３１に出力する（図９／ＳＴＥＰ２１０）。
【０１３７】
検索結果画面Ｐ３には、地図情報２２２１に基づいて構成された地図Ｐ３１と、検索経路を示す検索経路表示Ｐ３２１と、検索経路とは異なる経路である推薦経路を示す推薦経路表示Ｐ３２２と、検索された各投稿済局所経路を示す投稿済局所経路表示Ｐ３３１〜Ｐ３３３と、投稿済局所動画の再生を指示するためのボタンＰ３４１〜Ｐ３４３と、投稿済み局所動画に関するコメントを受け付けるためのコメントインターフェースＰ３５１〜Ｐ３５３とを含む。検索結果画面Ｐ３には、投稿済動画の信頼性の評価値を示す表示が含まれていてもよい。投稿済局所経路表示Ｐ３３１〜Ｐ３３３のそれぞれが、本発明の「第１経路表示」「局所経路を示す表示」の一例に相当する。投稿済局所動画の再生を指示するためのボタンＰ３４１〜Ｐ３４３のそれぞれが、本発明の「局所動画の再生指示を受け付けるためのインターフェース」の一例に相当する。
【０１３８】
第２端末制御部２２１は、第２端末操作検知部２２４２を介して投稿済局所動画の再生を指示するためのボタンＰ３４１〜Ｐ３４３の押圧操作を検知すると、投稿済局所動画を第２端末画像表示部２２３１に出力することにより、投稿済局所動画を再生する（図９／ＳＴＥＰ２１２）。各投稿済局所動画の再生画面には、夫々の投稿済局所動画を経路を案内する際の動画とするための設定ボタンが表示されている。なお、ユーザの操作または設定に応じて、第２端末制御部２２１は、投稿済動画の全体を再生してもよい。
【０１３９】
第２ユーザＵ２は、コメントを参照しながら、各投稿済動画を視聴することにより、どの経路を通行するかを具体的なイメージを掴みながら検討することができる。
【０１４０】
第２端末制御部２２１は、第２端末操作検知部２２４２を介して経路を案内する際の参考の動画（参考動画）とするための設定ボタンの押圧操作が検知されたか否かを判定する（図９／ＳＴＥＰ２１４）。
【０１４１】
当該判定結果が肯定的である場合（図９／ＳＴＥＰ２１４‥ＹＥＳ）、第２端末制御部２２１は、対応する投稿済局所動画を、参考動画情報２２２２に追加することにより、投稿済局所動画を参考動画として設定する（図９／ＳＴＥＰ２１６）。この参考動画は、第２端末２２が、検索経路の案内をする際に併せて再生される。
【０１４２】
当該判定結果が否定的である場合（図９／ＳＴＥＰ２１４‥ＮＯ）又は図９／ＳＴＥＰ２１６の処理の後、第２端末制御部２２１は、投稿済動画視聴処理を終了する。
【０１４３】
（経路探索処理）
次に図１２を参照して、画像共有サーバ３により実行される経路探索処理を説明する。
【０１４４】
画像共有サーバ３のサーバ制御部３１は、第１検索情報に含まれる検索経路を認識する（図１２／ＳＴＥＰ３５２）。
【０１４５】
サーバ制御部３１は、検索経路と所定の距離以上重なる投稿済動画経路を検索する（図１２／ＳＴＥＰ３５４）。
【０１４６】
また、一の経路Ａと他の経路Ｂとが所定の距離以上重なるとは、夫々の経路Ａを示す座標値のセットのうち、経路Ａの所定の距離以上の部分を示す座標値のセットが経路Ｂに含まれる座標値のセットと完全に同一である場合のほか、経路Ａの所定の距離以上の部分を示す座標値のセットが、経路Ｂの全体または一部を表す座標値のセットと同一の道路に存在するとみなせる程度に近似していることも含む。
【０１４７】
サーバ制御部３１は、第１検索情報に複数の検索経路が含まれている場合には、当該複数の検索経路のうちいずれか１つの検索経路と所定の距離以上重なる投稿済動画経路を検索する。
【０１４８】
また、サーバ制御部３１は、第１検索情報に検索経路における移動方向が含まれている場合には、所定の距離以上重なることに加え、検索経路の方向と投稿済動画経路の移動方向が同一であることを条件として検索してもよい。
【０１４９】
また、所定の距離は、あらかじめ定められた距離であってもよいし、検索経路の距離に対応して決定される距離（例えば検索経路の距離の５割以上の距離）であってもよい。
【０１５０】
これに代えてまたは加えて、サーバ制御部３１は、検索経路と所定の第１距離以上重なる投稿済局所経路を検索してもよい。これらに代えてまたは加えて、サーバ制御部３１は、検索経路に含まれる投稿済局所経路を検索してもよい。これらに代えてまたは加えて、サーバ制御部３１は、検索経路と投稿済動画経路とが所定の第２距離以上重なる一方、検索経路と投稿済局所経路との重なりがない又は検索経路と投稿済局所経路との重なりが所定の第３距離以下である経路を検索してもよい。
【０１５１】
サーバ制御部３１は、検索経路と投稿済局所経路との重なりがない場合には、検索経路と投稿済局所経路との距離が所定の第４距離以下である経路を探索してもよい。これに代えてまたは加えてサーバ制御部３１は、検索経路と投稿済局所経路との重なりがない場合には、検索経路と投稿済局所経路とを接続するための区間の数が所定の数以下である経路を探索してもよい。
【０１５２】
これらの探索により、例えば、同じ目的地に到達する別の経路（例えば、いわゆる寄り道など）、又は同一の目的地に向かう経路ではないが、通行しようとしている道路から近い道路（例えば、検索経路と交差するような道路）が探索されうる。これにより、ユーザは、元々予定していた検索経路上の動画以外にも、その経路の付近の道路に関連する動画を視聴できるようになる。
【０１５３】
これらに加えて、サーバ制御部３１は、第１検索情報に含まれる日付、時間帯及びタグ情報を参照して、日付、時間帯及びタグ情報に合致する季節、時間帯及びタグ情報を有する投稿済動画経路を抽出してもよい。
【０１５４】
サーバ制御部３１は、検索された投稿済動画経路があるか否かを判定する（図１２／ＳＴＥＰ３５６）。
【０１５５】
当該判定結果が肯定的である場合（図１２／ＳＴＥＰ３５６・・ＹＥＳ）、サーバ制御部３１は、動画情報３２１を参照して、検索された投稿済動画経路に関連付けられた各情報を検索結果として認識する（図１２／ＳＴＥＰ３５８）。サーバ制御部３１は、少なくとも、投稿済動画、投稿済動画に関連付けられた経路である投稿済動画経路、投稿済動画の一部である投稿済局所動画、投稿済局所動画に対応する経路である投稿済局所経路及び投稿済局所動画に対するコメントを認識する。
【０１５６】
当該判定結果が否定的である場合（図１２／ＳＴＥＰ３５６・・ＮＯ）又は図１２／ＳＴＥＰ３５８の処理の後、サーバ制御部３１は、経路探索処理を終了する。
【０１５７】
本処理により、検索経路と所定距離以上重なる投稿済動画経路が検索される。
【０１５８】
また、これらに加え、経路の検索をしなくとも、初期の画面においてまたは第２端末２２の入力部２２４で検知されたユーザの指示に応じて、最新の動画一覧を表示してもよい。この場合、第２端末２２に備えられたＧＰＳセンサ等の位置認識部により認識された現在地、第２端末２２が比較的長時間滞在する自宅等の拠点、又はユーザに指定された地点から所定の距離以内の経路に関連する動画の一覧が表示されてもよい。
【０１５９】
このようにすることで、ユーザが目的地や経路を持たない場合でも、ユーザは、投稿された情報を閲覧することができる。また、ユーザが旅行先を大まかに考えているような場合にも、ユーザが旅行先の空港等の地点を指定することにより、当該指定された地点付近の経路が検索され、当該経路に関連する動画が再生されうる。
【０１６０】
この場合でも再生される動画が局所動画であれば、再生時間が短くなるので、手軽に多くの情報を閲覧することが可能である。
【０１６１】
（第２実施形態）
図１３〜図１４を参照して、本発明の第２実施形態を説明する。第１実施形態では、第１ユーザＵ１に対象経路表示上の２か所を指定させることで局所経路と局所動画とを認識したが（図６／ＳＴＥＰ１１４〜図６／ＳＴＥＰ１１８）、第２実施形態では、図６／ＳＴＥＰ１１４〜図６／ＳＴＥＰ１１８に代えてまたは加えて、第１ユーザＵ１ではなく、第１端末２１が局所経路と局所動画とを認識する点で第１実施形態と異なる。第１実施形態と第２実施形態とで共通の構成については、同一の符号を付して説明を省略する。また、第２実施形態では、第１実施形態と同様に、処理対象の動画を投稿動画と呼び、当該投稿動画の局所動画を投稿局所動画と呼び、当該投稿局所動画に対応する経路を投稿局所経路と呼ぶ。
【０１６２】
（局所動画認識処理）
第１端末制御部２１１は、動画情報２１２２を参照して、投稿動画を構成する各画像に基づいて、道路の形状を認識する（図１３／ＳＴＥＰ４０２）。第１端末制御部２１１は、各画像の水平線よりも下方向の画像から、例えば、道路の白線の画像である白線画像を抽出することにより、道路の形状を認識する。
【０１６３】
例えば、図１４に示されるような道路画像Ｐ４においては、複数の白線の画像Ｐ４１〜Ｐ４６が含まれている。第１端末制御部２１１は、公知の手法により、グレースケール処理の後、エッジを抽出し、ノイズなどを除去した後、エッジで囲まれる白線の画像を抽出することができる。
【０１６４】
第１端末制御部２１１は、公知の手法により、抽出した白線の画像の連続性を抽出することができる。例えば、第１端末制御部２１１は、白線の画像の中心を通る線を出来るだけ滑らかにつなげることで、左側の白線の画像Ｐ４１〜Ｐ４３が連続した白線であると認識することができるとともに、右側の白線の画像Ｐ４４〜Ｐ４６が連続した白線であると認識することができる。
【０１６５】
第１端末制御部２１１は、公知の手法により、抽出されたの白線の画像の連続性に基づいて、道路の形状を認識することができる。例えば、第１端末制御部２１１は、図１４に示されるような道路画像Ｐ４においては、左側の白線の画像Ｐ４１〜Ｐ４３の連続性及び右側の白線の画像Ｐ４４〜Ｐ４６の連続性に基づいて、左側にカーブしている等の道路の形状を定性的に認識することができる。また、第１端末制御部２１１は、道路の曲率半径等の道路の形状を定量的に認識してもよい。
【０１６６】
第１端末制御部２１１は、投稿動画を構成する各画像に基づいて、撮像された道路に所定の形状の道路が含まれるか否かを判定する（図１３／ＳＴＥＰ４０４）。
【０１６７】
「所定の形状の道路」は、例えば、「カーブ」、「交差点」、「曲率半径が所定の曲率半径以上」、「曲率半径が所定の曲率半径以上の道路を含む交差点」、「カーブの後の交差点」、「３つ以上連続したカーブ」、「再生時間５分以上のカーブ」等、道路の形状の定性的な特性及び道路の形状の定量的な特性の組合せ並びにこれらと道路の形状の個数及び再生時間の一方又は両方の組合せで表現されうる。
【０１６８】
第１端末制御部２１１は、投稿動画を構成するいずれかの画像に所定の形状の道路が含まれる場合に、当該判定結果を肯定的であると判定し、動画を構成するすべての画像に所定の形状の道路が含まれない場合に、当該判定結果を否定的であると判定する。
【０１６９】
当該判定結果が否定的である場合（図１３／ＳＴＥＰ４０４‥ＮＯ）、第１端末制御部２１１は、投稿動画を構成する各画像に基づいて、道路の周辺の環境である道路周辺環境を認識する（図１３／ＳＴＥＰ４０６）。第１端末制御部２１１は、各画像に対して、例えば、機械学習による分類を実行することにより、道路周辺環境を認識する。第１端末制御部２１１は、例えば、「海」「ビル」などの定性的に道路周辺環境を認識してもよい。また、「○○ルクス以上」など、定量的に道路周辺環境を認識してもよい。
【０１７０】
第１端末制御部２１１は、投稿動画を構成する各画像に基づいて、撮像された道路周辺環境に、所定の道路周辺環境が含まれるか否かを判定する（図１３／ＳＴＥＰ４０８）。
【０１７１】
「所定の道路周辺環境」は、「海」「ビル」「○○ルクス以上」「○○ルクス以上の海」「３つ以上のビル」「再生時間５分以上の海」など、道路周辺環境の定性的な特性及び道路周辺環境の定量的な特性の組合せ並びにこれらと道路の形状の個数及び再生時間の一方又は両方の組合せで表現されうる。
【０１７２】
図１３／ＳＴＥＰ４０４又は図１３／ＳＴＥＰ４０８のいずれかの結果が肯定的である場合（図１３／ＳＴＥＰ４０４・・ＹＥＳ又は図１３／ＳＴＥＰ４０８・・ＹＥＳ）、第１端末制御部２１１は、所定の道路の形状又は所定の道路周辺環境を映している投稿動画の部分を投稿局所動画として認識し、投稿局所動画を示す情報、投稿局所動画に対応する経路である投稿局所経路を示す情報を、第１端末記憶部２１２に記憶する（図１３／ＳＴＥＰ４１０）。なお、第１端末制御部２１１は、投稿局所動画を撮像した位置に基づいて、投稿局所経路を認識してもよいし、投稿局所動画から認識される道路の形状または道路周辺環境に基づいて投稿局所経路を認識してもよい。
【０１７３】
図１３／ＳＴＥＰ４１０の処理の後、又は図１３／ＳＴＥＰ４０８の結果が否定的である場合（図１３／ＳＴＥＰ４０８・・ＮＯ）、第１端末制御部２１１は、本処理を終了する。
【０１７４】
なお、図１３では、第１端末制御部２１１は、所定の道路の形状又は所定の道路周辺環境が発見された時点で投稿局所動画及び投稿局所経路を認識し、処理を終了していたが、第１端末制御部２１１は、動画に含まれる全て又は所定個数以上の、所定の道路の形状又は所定の道路周辺環境を抽出するまで図１３／ＳＴＥＰ４０２〜図１３／ＳＴＥＰ４１０の処理を実行してもよい。
【０１７５】
（第３実施形態）
図１５〜図１６を参照して、本発明の第３実施形態を説明する。第２実施形態では、第１端末２１が動画に含まれる道路の形状又は道路周辺環境に基づいて局所経路と局所動画とを認識したが、第３実施形態では、図１３／ＳＴＥＰ４０２〜図１３／ＳＴＥＰ４１０の処理に加えてまたは代えて、第１端末２１が第１ユーザＵ１の反応に基づいて局所経路と局所動画とを認識する点で第２実施形態と異なる。第１実施形態〜第３実施形態で共通の構成については、同一の符号を付して説明を省略する。また、第３実施形態では、第１実施形態及び第２実施形態と同様に、処理対象の動画を投稿動画と呼び、当該投稿動画の局所動画を投稿局所動画と呼び、当該投稿局所動画に対応する経路を投稿局所経路と呼ぶ。
【０１７６】
（第３実施形態の構成）
第３実施形態の第１端末２１は、図１５に示されるように、第１ユーザＵ１に装着された生体センサ４と通信可能に構成されている。生体センサ４は、脳波センサー、リストバンドなどにより構成され、第１ユーザＵ１の生体情報を取得し、第１端末２１に送信するように構成されている。生体情報は、脳波、心拍数、血圧など、定量的な特性で表現される。
【０１７７】
これに代えてまたは加えて、第１端末２１は、第１ユーザＵ１又は同乗者の声を収集する音声認識装置又は第１ユーザＵ１又は同乗者の挙動を撮像する撮像装置と通信することにより、第１ユーザＵ１又は同乗者の声又は挙動を認識し、これらに基づいて局所動画認識処理を実行してもよい。声又は挙動は、声の大きさ、声の周波数、挙動の回数等、定量的な特性で表現されてもよいし、又は、例えば機械学習による分類により、喜んでいる声、興奮している挙動など、定性的な特性で表現されてもよい。
【０１７８】
また、第１端末記憶部２１２は、ユーザ情報２１２３を記憶している。
【０１７９】
ユーザ情報２１２３は、後述する局所動画認識処理で取得されたユーザの生体情報、声、挙動などと、当該生体情報、声、挙動が検出された位置と当該生体情報、声、挙動が検出された時刻とを含む情報である。
【０１８０】
（局所動画認識処理）
図１６を参照して、第１端末２１により実行される局所動画認識処理を説明する。
【０１８１】
第３実施形態では、投稿動画の撮像時に図１６／ＳＴＥＰ５０２〜図１６／ＳＴＥＰ５１０の処理を実行する。
【０１８２】
第１端末制御部２１１は、生体センサ４を介して第１ユーザＵ１の生体情報を認識する（図１６／ＳＴＥＰ５０２）。
【０１８３】
第１端末制御部２１１は、取得された生体情報が所定の状態か否かを判定する（図１６／ＳＴＥＰ５０４）。
【０１８４】
ここで、「所定の状態」とは、所定の脳波である状態、心拍数、血圧が再生時間にして１分以上所定値以上である状態等の、生体情報又は生体情報及び再生時間との組み合わせで表現されうる。第１ユーザＵ１又は同乗者の声又は挙動が取得されている場合には、喜んでいる声、声の大きさが所定のデジベル以上、３回以上の喜んでいる声、再生時間３分以上にわたって興奮している挙動など、所定の状態が声又は挙動の定性的な特性及び声又は挙動の定量的な特性の組合せ並びにこれらと声又は挙動の回数及び再生時間の一方又は両方の組合せで表現されてもよい。
【０１８５】
当該判定結果が肯定的である場合（図１６／ＳＴＥＰ５０４‥ＹＥＳ）、第１端末制御部２１１は、当該生体情報、声、挙動が検出された時点におけるＧＰＳセンサ１１から取得された移動体１の位置、第１端末計時部２１６から取得された時刻を認識する（図１６／ＳＴＥＰ５０６）。
【０１８６】
第１端末制御部２１１は、認識した生体情報（又は声若しくは挙動）と、位置と、時刻とを第１端末記憶部２１２のユーザ情報２１２３に記憶する（図１６／ＳＴＥＰ５０８）。
【０１８７】
図１６／ＳＴＥＰ５０８の処理の後又は図１６／ＳＴＥＰ５０４の判定結果が否定的である場合（図１６／ＳＴＥＰ５０４‥ＮＯ）、第１端末制御部２１１は、撮像が終了したか否かを判定する（図１６／ＳＴＥＰ５１０）。
【０１８８】
当該判定結果が否定的である場合（図１６／ＳＴＥＰ５１０‥ＮＯ）、第１端末制御部２１１は、図１６／ＳＴＥＰ５０２以下の処理を実行する。
【０１８９】
当該判定結果が肯定的である場合（図１６／ＳＴＥＰ５１０‥ＹＥＳ）、第１端末制御部２１１は、ユーザ情報２１２３を参照し、生体情報（又は声若しくは挙動）が所定の状態となった時点から所定の状態でなくなった時点までの動画及び経路を、投稿局所動画及び投稿局所経路として認識し、動画情報２１２２に追加して記憶する（図１６／ＳＴＥＰ５１２）。第１端末制御部２１１は、例えば、投稿動画の開始後３分から生体情報が所定の状態となり、投稿動画の開始後５分に生体情報が所定の状態でなくなった場合、投稿動画の開始後３分〜５分までの動画を投稿局所動画として認識し、その間の経路を投稿局所経路として認識する。
【０１９０】
図１２／ＳＴＥＰ５１２の処理の後、第１端末制御部２１１は、投稿局所動画認識処理を終了する。
【０１９１】
（第４実施形態）
図１７〜図２０を参照して、本発明の第４実施形態を説明する。第１実施形態では、第２端末２２から検索経路を含む第１検索情報が送信され、画像共有サーバ３が当該第１検索情報を基に検索を行い、検索結果を第２端末２２に送信し、第２端末２２が検索結果を含む画面を出力したが（図９／ＳＴＥＰ２０２〜ＳＴＥＰ２１０）、第４実施形態では、これに加えて、画像共有サーバ３が動画を推薦する機能又は検索経路を含まない第２検索情報による検索機能を提供する点で第１実施形態と異なる。第１実施形態〜第３実施形態で共通の構成については、同一の符号を付して説明を省略する。また、第４実施形態では、第１実施形態と同様に、画像共有サーバ３に保存されている動画を投稿済動画と呼び、当該投稿済動画に関連する経路を投稿済動画経路と呼び、当該投稿済動画の局所動画を投稿済局所動画と呼び、投稿済局所動画に対応する経路を投稿済局所経路と呼ぶ。
【０１９２】
（画像共有サーバの構成）
図１７に示されるように、画像共有サーバ３のサーバ保持部３２は、さらに推薦情報３２３を保持している。
【０１９３】
推薦情報３２３は、各ユーザに推薦する投稿済動画又は投稿済局所動画に関する情報である。推薦情報３２３には、投稿済動画又は投稿済局所動画を識別するための情報、投稿済動画又は投稿済局所動画を推薦するための基礎情報が含まれている。
【０１９４】
投稿済動画又は投稿済局所動画を推薦するための基礎情報には、投稿済動画又は投稿済局所動画への総アクセス数、投稿済動画又は投稿済局所動画の総再生回数、投稿済動画又は投稿済局所動画の総再生時間、所定期間における投稿済動画又は投稿済局所動画へのアクセス数、投稿済動画又は投稿済局所動画の再生回数、投稿済動画又は投稿済局所動画の再生時間及び各端末からの受信した投稿済動画又は投稿済局所動画への好感度が含まれる。
【０１９５】
（推薦一覧画面出力処理）
図１８を参照して、第２端末２２及び画像共有サーバ３により実行される推薦一覧画面出力処理を説明する。推薦一覧画面出力処理は、例えば、第２端末２２の第２ユーザＵ２が、旅行等に行くことを計画しているものの、目的地が決定されていない段階で、動画を閲覧して、どこに行くのかを検討したいと希望する場合などに有用な処理である。
【０１９６】
第２端末制御部２２１は、第２端末通信部２２５を介して画像共有サーバ３にアクセスする（図１８／ＳＴＥＰ６０２）。
【０１９７】
サーバ制御部３１は、第２端末２２からのアクセスを受けたことを検知すると（図１８／ＳＴＥＰ６５２）、推薦情報３２３を参照することにより、推薦すべき投稿済局所動画のリスト（以下、「推薦動画リスト」という。）及び当該推薦すべき投稿済局所動画に対応する地点のリスト（以下、「推薦地点リスト」という。）を認識する（図１８／ＳＴＥＰ６５４）。サーバ制御部３１は、例えば、投稿済動画又は投稿済局所動画を推薦するための基礎情報から所定の式を用いて総アクセス数、総再生回数、総再生時間、アクセス数、再生回数、再生時間及び好感度等が大きいほど推薦度が高くなるように各投稿済局所動画の推薦度を決定し、推薦度が高い順に所定の個数までの推薦すべき投稿済局所動画を、推薦動画リストとして認識してもよい。また、サーバ制御部３１は、動画情報３２１を参照することにより、夫々の推薦すべき投稿済局所動画に対応する投稿済局所経路を認識する。そして、サーバ制御部３１は、各投稿済局所経路の開始地点（投稿済局所動画の開始時点に対応する地点）を推薦地点リストとして認識する。サーバ制御部３１は、推薦動画リストにそれぞれの地域ごとに定められた数だけの推薦すべき投稿済局所動画を含めてもよい。
【０１９８】
サーバ制御部３１は、サーバ通信部３５を介して、認識した推薦動画リスト及び推薦地点リストを第２端末２２に送信する（図１８／ＳＴＥＰ６５６）。
【０１９９】
第２端末制御部２２１は、第２端末通信部２２５を介して推薦動画リスト及び推薦地点リストを受信すると（図１８／ＳＴＥＰ６０４‥ＹＥＳ）、図１９に示される第１推薦一覧画面Ｐ５を出力する（図１８／ＳＴＥＰ６０６）。
【０２００】
第１推薦一覧画面Ｐ５には、フリーワード検索ボックスＰ５１、タグ選択ボックスＰ５２、推薦すべき投稿済局所動画に対応する地点表示Ｐ５３１〜Ｐ５３８が含まれる。このうち、推薦すべき投稿済局所動画に対応する地点表示Ｐ５３１〜Ｐ５３８は、推薦地点リストに含まれる夫々の地点の地図上の位置に表示されている。第２端末制御部２２１は、第２端末操作検知部２２４２を介してタグ選択ボックスＰ５２の右端に表示されているプルダウンボタンＰ５２１の押圧操作を検知すると、タグ選択ボックスＰ５２の下側にタグ一覧を表示する。第１推薦一覧画面Ｐ５には、季節、時間帯などを指定するボックスが含まれていてもよい。
【０２０１】
なお、第２端末制御部２２１は、第２端末操作検知部２２４２を介して推薦すべき投稿済局所動画に対応する地点表示Ｐ５３１〜Ｐ５３８のいずれかが押圧されたことを検知すると、当地点に対応する推薦すべき投稿済局所動画を推薦動画リストから認識し、当該推薦すべき投稿済局所動画を再生する。
【０２０２】
第２端末制御部２２１は、第２端末操作検知部２２４２を介してフリーワード検索ボックスＰ５１又はタグ選択ボックスＰ５２への入力があったことを検知すると、検索キーワードとフリーワード検索かタグ選択かを示す情報とを含む第２検索情報を第２端末通信部２２５を介して画像共有サーバ３に送信する（図１８／ＳＴＥＰ６０８）。
【０２０３】
サーバ制御部３１は、第２検索情報を受信すると（図１８／ＳＴＥＰ６５８‥ＹＥＳ）、動画情報３２１を参照して、第２検索情報に応じた投稿済動画を検索する（図１８／ＳＴＥＰ６６０）。第２検索情報がフリーワード検索を示す情報を含んでいた場合、サーバ制御部３１は、タグ情報３２１５、題名情報３２１６、撮像季節情報３２１７、撮像時間帯情報３２１８又はコメント３２１９に、検索キーワードを含む投稿済動画を検索する。第２検索情報がタグ選択を示す情報を含んでいた場合、サーバ制御部３１は、タグ情報３２１５に、検索キーワードを含む投稿済局所動画を検索する。
【０２０４】
サーバ制御部３１は、サーバ通信部３５を介して検索された投稿済局所動画のリストを第２端末２２に送信する（図１８／ＳＴＥＰ６６２）。投稿済局所動画のリストには、検索された投稿済局所動画を再生するための情報（例えば投稿済局所動画のＵＲＬ）、題名、再生回数、投稿済局所動画に対するコメント、投稿済局所動画に対応する局所経路が含まれている。
【０２０５】
第２端末制御部２２１は、投稿済局所動画のリストを受信すると（図１８／ＳＴＥＰ６１０・・ＹＥＳ）、図２０に示される第２推薦一覧画面Ｐ６を出力する（図１８／ＳＴＥＰ６１２）。
【０２０６】
第２推薦一覧画面Ｐ６は、フリーワード検索ボックスＰ６１、タグ選択ボックスＰ６２、タグ一覧Ｐ６３、投稿済局所動画リスト表示Ｐ６４、投稿済局所動画に対応する局所経路の表示Ｐ６５、及び当該局所経路の開始地点の表示Ｐ６６を含む。
【０２０７】
投稿済局所動画リスト表示Ｐ６４は、投稿済局所動画のリストに含まれる夫々の投稿済局所動画ごとの題名、再生回数、投稿済局所動画に対するコメントを含む表示である。
【０２０８】
投稿済局所動画に対応する局所経路の表示Ｐ６５、及び当該局所経路の開始地点の表示Ｐ６６は、投稿済局所動画のリストに含まれる夫々の投稿済局所動画ごとの局所経路の、地図上の対応する位置に表示されている。
【０２０９】
第２端末制御部２２１は、第２端末操作検知部２２４２を介して投稿済局所動画リスト表示Ｐ６４又は当該局所経路の開始地点の表示Ｐ６６のいずれかの投稿済局所動画に対応する部分が押圧されたことを検知すると、当該部分に対応する投稿済局所動画を推薦動画リストから認識し、当該投稿済局所動画を再生する。
【０２１０】
図１８／ＳＴＥＰ６１２の処理の後、第１端末制御部２１１は、推薦一覧表示処理を終了する。
【０２１１】
（変形態様）
第１実施形態〜第４実施形態では、動画が共有対象であったが、これに加えてまたは代えて、第１端末撮像部２１４１を介して撮像された静止画が共有対象となってもよい。この場合、静止画が本発明の「画像表示」の一例に相当する。
【０２１２】
また、動画は、フレーム数が間引かれた動画であってもよい。
【０２１３】
また、動画の再生時には、早送りされてもよい。
【０２１４】
第１実施形態〜第４実施形態では、画像共有サーバ３を介して動画が共有されたが、第１端末２１と第２端末２２とが直接通信し、第２端末２２に必要な情報が送信されてもよい。この場合、第２端末制御部２２１が、サーバ制御部３１担当分の処理を実行してもよい。
【０２１５】
また、図１３の局所動画認識処理、図１６／ＳＴＥＰ５１２などの処理が画像共有サーバ３で実行されてもよい。
【０２１６】
また、図１１では、局所動画を再生するためのボタンＰ３４１〜Ｐ３４３が表示されたが、これに代えてまたは加えて、ボタンの押圧操作を検知する前にいずれかの局所動画が自動的に再生されてもよい。また、局所動画を構成する画像のうちの一の画像がボタンＰ３４１〜Ｐ３４３に代えてまたは加えて表示されてもよい。再生される動画が本発明の「画像表示」の一例に相当する。
【０２１７】
また、局所経路の表示に加えてまたは代えて、動画に関連付けられた経路の全体を表示してもよい。
【０２１８】
また、第１実施形態では、動画の投稿者である第１ユーザＵ１により、投稿動画に関連付けられた経路、投稿局所動画に対応する経路が指定されたが、これに代えて、動画の投稿者とは異なるユーザが投稿動画に関連付けられた経路、投稿局所動画に対応する経路を指定してもよい。この場合、サーバ制御部３１は、動画と対応する経路であるかどうかの評価をさらに別のユーザの端末から受信し、当該評価に基づいて信頼性の評価値を決定してもよい。
【符号の説明】
【０２１９】
２２１・・第２端末制御部（表示制御部）、２２３１・・第２端末画像表示部（画像表示部）、３・・画像共有サーバ、３１・・経路検索部３１、Ｐ３３１〜Ｐ３３２・・投稿済局所経路表示（第１経路表示）、Ｐ３１・・地図情報、Ｐ３４１〜Ｐ３４３・・投稿済局所動画の再生を指示するためのボタン（第１経路に関連付けられた動画の再生指示を受け付けるための表示）。
【図１】
2018174512.tif 000003
【図２】
2018174512.tif 000004
【図３】
2018174512.tif 000005
【図４】
2018174512.tif 000006
【図５】
2018174512.tif 000007
【図６】
2018174512.tif 000008
【図７】
2018174512.tif 000009
【図８】
2018174512.tif 000010
【図９】
2018174512.tif 000011
【図１０】
2018174512.tif 000012
【図１１】
2018174512.tif 000013
【図１２】
2018174512.tif 000014
【図１３】
2018174512.tif 000015
【図１４】
2018174512.tif 000016
【図１５】
2018174512.tif 000017
【図１６】
2018174512.tif 000018
【図１７】
2018174512.tif 000019
【図１８】
2018174512.tif 000020
【図１９】
2018174512.tif 000021
【図２０】
2018174512.tif 000022